(57)【要約】  本発明は、プロジェクタ用の、殊にデジタル式の映画・ビデオプロジェクタ用のランプモジュールであって、少なくとも２つのリフレクタを備えたリフレクタシステムを有していて、該リフレクタシステム内にランプが収容されている。このリフレクタシステムは、ランプに電気的に接続されていて、ランプを支持しており、それによってリフレクタシステムとランプとが前もって組み立てられたユニットとしてプロジェクタ内に挿入可能であり、それによって組立が著しく簡略されている。
2008527616.tif 000002
【特許請求の範囲】
【請求項１】
プロジェクタ用の、殊にデジタル式の映画・ビデオプロジェクタ用のランプモジュール（１）であって、少なくとも２つのリフレクタ（２，４）を備えたリフレクタシステム（６）を有していて、該リフレクタシステム（６）内に、１つのバルブ（２０）と２つのシャフト（２４，２６）とを備えたランプ（８）が収容されており、これらのシャフト（２４，２６）の両端部に電極システム（１６，１８）とベース（３２，３４）とが設けられている形式のものにおいて、
前記リフレクタシステム（６）がランプ（８）に電気的に接続されていて、ランプ（８）を支持しており、それによってリフレクタシステム（６）とランプ（８）とが前もって組み立てられたユニットとしてプロジェクタ（１０）内に挿入可能であることを特徴とする、プロジェクタ用のランプモジュール。
【請求項２】
リフレクタシステム（６）が２つのリフレクタ（２，４）より成っており、第１のリフレクタ（２）が光出口開口（１２）を備え、第２のリフレクタがリフレクタネック（１４）を備えて構成されており、ランプ（８）が、リフレクタネック（１４）及び光出口開口（１２）の領域内に支承されている、請求項１記載のプロジェクタ用のランプモジュール。
【請求項３】
２つのリフレクタ（２，４）が、半径方向に突出する扁平面（３６，３８）に沿って接続されていて、これらの扁平面が１つの共通のフランジ（４０）を形成し、このフランジ（４０）に沿ってランプモジュール（１）がプロジェクタ（１０）に固定可能である、請求項１又は２記載のプロジェクタ用のランプモジュール。
【請求項４】
一方のリフレクタが、前記扁平面に、又は該扁平面からリフレクタ湾曲部への移行部に環状溝を有していて、該環状溝内に、他方のリフレクタの環状のフェザーキーが係合する、請求項１又は２記載のプロジェクタ用のランプモジュール。
【請求項５】
プロジェクタ（１０）にランプモジュール（１）を規定して取り付けることを可能にする位置決めピン（４４）が、フランジ（４０）に設けられている、請求項３記載のプロジェクタ用のランプモジュール。
【請求項６】
第１のリフレクタ（２）が球状のリフレクタであって、第２のリフレクタ（４）が楕円形のリフレクタである、請求項２記載のプロジェクタ用のランプモジュール。
【請求項７】
第２のリフレクタ（４）のリフレクタネック（１４）が受容セクション（９０）を有しており、該受容セクション（９０）にばね舌片（９２，９４，９６）が形成されていて、これらのばね舌片間に、ランプ（８）の第２のランプシャフト（２６）が受容可能、かつ固定可能である、請求項６記載のプロジェクタ用のランプモジュール。
【請求項８】
前記ばね舌片（９２，９４，９６）がリフレクタネック（１４）から打ち抜き成形され、折り曲げられて受容セクション（９０）内に挿入されている、請求項７記載のプロジェクタ用のランプモジュール。
【請求項９】
ばね舌片（９２，９４，９６）がリフレクタネック（１４）から切削により形成されている、請求項７記載のプロジェクタ用のランプモジュール。
【請求項１０】
ばね舌片（９２，９４，９６）がリフレクタネック（１４）から電気めっきにより形成されている、請求項７記載のプロジェクタ用のランプモジュール。
【請求項１１】
第２のランプシャフトが、少なくともばね舌片（９２，９４，９６）の領域内で円筒形の金属スリーブ（１０６）を支持している、請求項１記載のプロジェクタ用のランプモジュール。
【請求項１２】
円筒形の金属スリーブ（１０６）とランプシャフト（２６）との間にグラファイト帯材が設けられている、請求項１１記載のプロジェクタ用のランプモジュール。
【請求項１３】
円筒形の金属スリーブ（１０６）が緊締リング（１１０）によって第２のランプシャフト２６）上に保持されている、請求項１１記載のプロジェクタ用のランプモジュール。
【請求項１４】
ランプシャフト（２６）の自由端部、及び円筒形の金属スリーブ（１０６）の、電極とは反対側の端部に、セラミックより成る円筒形のベース（３４）が被せ嵌められている、請求項１１記載のプロジェクタ用のランプモジュール。
【請求項１５】
円筒形のベース（３４）が、金属スリーブ（１０６）から曲げ起こされた舌片対（１１４）によって円筒形の金属スリーブ（１０６）で保持される、請求項１４記載のプロジェクタ用のランプモジュール。
【請求項１６】
第１のリフレクタ（２）が、光出口側でほぼ円錐形周壁状の付加部（５４）を有しており、該付加部（５４）が、光出口開口（１２）を制限するほぼ円筒形周壁状の固定セクション（５６）内に移行している、請求項６記載のプロジェクタ用のランプモジュール。
【請求項１７】
円筒形周壁状の固定セクション（５６）内に、ランプ（８）の第１のランプシャフト（２４）のベース（３２）を受容するためのセンタリングリング（４８）が挿入されている、請求項１６記載のプロジェクタ用のランプモジュール。
【請求項１８】
センタリングリング（４８）が内方に突き出す複数の支柱（７０，７２，７４）を有しており、これらの支柱が、ランプ（８）の第１のランプシャフト（２４）のベース（３２）の接続接点（３０）を受容するための、センタリングリング（４８）の中央に配置されたスリーブ（７６）に固定されている、請求項１７記載のプロジェクタ用のランプモジュール。
【請求項１９】
センタリングリング（４８）が、フィルタ（５０）特にＵＶ／ＩＲフィルタのためのフィルタホルダ（５２）を支持している、請求項１７又は１８記載のプロジェクタ用のランプモジュール。
【請求項２０】
円錐形周壁状の付加部（５４）が少なくとも１つの切欠（６０）を有しており、該切欠（６０）を通って冷却空気流がリフレクタシステム（６）内に流入するか、又はこのリフレクタシステムから流出するようになっている、請求項１６記載のプロジェクタ用のランプモジュール。
【請求項２１】
ランプ（８）がキセノン高圧放電ランプである、請求項１から２０までのいずれか１項記載のプロジェクタ用のランプモジュール。
【請求項２２】
ランプ（８）の第１のランプシャフト（２４）におけるベース（３２）の電気的な接触がリフレクタ（２）を介して行われ、また第２のランプシャフト（２４）におけるベース（３４）の電気的な接触が電流供給リッツ線（３５）の自由端部に設けられた接点エレメントを介して行われる、請求項１から２１までのいずれか１項記載のプロジェクタ用のランプモジュール。
【請求項２３】
リフレクタシステム（６）が、導電性の材料特にアルミニウム又はニッケルより成っているか又は導電性の層を備えていて、反射層を有している、請求項１から２２までのいずれか１項記載のプロジェクタ用のランプモジュール。
【請求項２４】
ランプモジュール（１）内で電気的な接触及び／又は調整を行うためのランプ（８）の少なくとも１つの端部セクションが、少なくとも部分的にリフレクタシステム（６）から突き出している、請求項１から２３までのいずれか１項記載のプロジェクタ用のランプモジュール。
【請求項２５】
請求項１から２４までのいずれか１項記載のランプモジュール（１）のリフレクタシステム（６）内でランプ（８）を位置決めし、かつ電気的に接触させるための方法において、
イ）ランプ（８）を、第２のランプシャフト（２６）上に固定された金属スリーブ（１０６）と共にリフレクタシステム（６）内に挿入し、この際に、第１のベース（３２）の接点ピン（３０）を第１のリフレクタ（２）の金属スリーブ（７６）内に挿入し、
ロ）ランプ（８）の第２のランプシャフト（２６）を調整装置によって把持し、ランプ（８）を光軸に関連したｘ方向、ｙ方向及びｚ方向で調整し、
ハ）殊に金属スリーブ（１０６）を第２のリフレクタ（４）におけるばね舌片（９４，９６，９８）に溶接又ははんだ付けすることによって、また第１のベース（３２）の接点ピン（３０）を第１のリフレクタ（２）のセンタリングリングにおけるスリーブ（７６）に溶接又ははんだ付けすることによって、整列されたランプ（８）をリフレクタシステム（６）に固定し、
ニ）第２のランプシャフト（２６）上に、張力逃がし手段（３３）を有するセラミック（３４）を被せ嵌め、かつ固定し、
ホ）張力逃がし手段（３３）を電流供給リッツ線に圧着し、
ヘ）ランプ（８）の第２のベース（３４）における電流供給リッツ線（３５）の自由端部を、接点エレメント特に接点プラグを介して、ランプの電流供給部と電気的に接続する、
ステップを有していることを特徴とする、ランプモジュール（１）のリフレクタシステム（６）内でランプ（８）を位置決めし、かつ電気的に接触させるための方法。
【発明の詳細な説明】
【技術分野】
【０００１】
本発明は、請求項１の上位概念部に記載した、プロジェクタ用のランプモジュール、及び請求項２５の上位概念部に記載した、このような形式のランプモジュールにおいてランプを位置決めし、かつ電気的に接触させるための方法に関する。
【０００２】
従来技術
最近のプロジェクタシステムの種々異なるプロジェクタ技術及び性能特徴は、従来形式の及びデジタル式の映画並びに家庭用映写機の分野において多くの使用可能性を提供しているが、光源の質及びプロジェクタ内の光源の取付けに関する要求も次第に高くなっている。
【０００３】
従来の映画用のプロジェクタにおいては、ランプ、例えばキセノン・ショートアーク・高圧放電ランプ内に、予めプロジェクタ内に装填されたリフレクタが組み込まれ、その耐用年数の終わり、個別構成部分としてプロジェクタから取り出されて、交換されるようになっている。プロジェクタ内でランプを調整させる必要があることに基づいて、このようなシステムにおいては、ランプを組み込むために技術的に訓練された作業員が必要となり、またこの作業員は、高圧下にあるランプの爆発危険性に基づいて、適当な防護服を着用しなければならない。
【０００４】
このような理由により、ビデオプロジェクタ技術において既に前もって組み付けられ、ケーシング内にリフレクタが挿入されているランプモジュールが使用される。このランプモジュールにおいてランプがケーシング内に受容されている。ランプの位置は、ケーシングに配置された調整装置を介して製造業者によって既に調整されている。つまり使用者が調整する必要はない。前もって組み付けられたランプモジュールは、ケーシングに配置されたレールを介して、また固定ピンによってプロジェクタに位置決めされ、フランジを介して固定される。この解決策によれば、使用者は、「ランプ爆発」の場合、フィルタディスクで閉鎖されたケーシングによって保護されていて、プロジェクタ内にランプモジュールを正確に受容することによって、さらなる調整及びひいては訓練された作業員を必要とすることはない。
【０００５】
この解決策においては、ランプモジュールは、ケーシング及び必要な機械的な調整装置によってその重量が重くなり、また複雑な構造及び製造工程に基づいてランプモジュール自体が非常に高価である、という欠点を有している。
【０００６】
発明の開示
本発明の課題は、特にデジタル式の映画・ビデオプロジェクタ用のランプモジュール、並びにこのような形式のランプモジュールにおいてランプを位置決めし、かつ電気的に接触させるための方法を改良して、従来の解決策に対して、操作が改善されると共に、製造費用を安価にすることである。
【０００７】
この課題は、本発明によれば、請求項１の特徴部に記載した構成を有するランプモジュールによって、またこの請求項１に記載したランプモジュールに、請求項２５の特徴部に記載したランプを位置決めし、かつ電気的に接触させる方法によって解決された。本発明の特に有利な実施態様は、従属請求項に記載されている。
【０００８】
本発明によるランプモジュールは、少なくとも２つのリフレクタを備えたリフレクタシステムを有していて、該リフレクタシステム内に１つのランプが収容されている。本発明によれば、前記リフレクタシステムがランプに電気的に接続されていて、ランプを支持しており、それによってリフレクタシステムとランプとが前もって組み立てられたユニットとしてプロジェクタ内に挿入可能となっている。
【０００９】
リフレクタシステムは有利な形式で２つのリフレクタによって形成されており、この場合、第１のリフレクタが光出口開口を備え、第２のリフレクタがリフレクタネックを備えて構成されており、ランプが、リフレクタネック及び光出口開口の領域内に支承されている。
【００１０】
リフレクタシステム内にランプが配置されていることに基づいて、従来技術の解決策におけるように安全性の理由により必要であるケーシングは省くことができる。プロジェクタを備えた、ランプの機械的で同時に電気的な接続エレメントとして、本発明によるリフレクタシステムを使用することによって、ランプモジュールの製造費用を従来技術のものと比較して著しく低減させることができる。電流の供給はランプのリフレクタシステムを介して行われ、この場合、リフレクタシステムはランプと共に、プロジェクタの主要な構成部分に対して絶縁する必要があることを考慮しなければならない。
【００１１】
特に有利な実施例によれば、リフレクタシステムは、第１のリフレクタとして球状のリフレクタを有していて、第２リフレクタとして楕円形のリフレクタを有している。
【００１２】
特に有利には、２つのリフレクタが、半径方向に突出する扁平面に沿って接続されていて、これらの扁平面が１つの共通のフランジを形成し、このフランジに沿ってランプモジュールがプロジェクタに固定可能となっている。２つのリフレクタを互いに整列させるために、一方のリフレクタが、扁平面に、又は扁平面からリフレクタ湾曲部への移行部に環状溝を有していて、該環状溝内に、他方のリフレクタの環状のフェザーキーが係合するようになっている。
【００１３】
有利な形式で、フランジに位置決めエレメント例えば位置決めピンが設けられていて、この位置決めピンは、所定の相対位置でプロジェクタにランプモジュールを組み付けることを可能にする。所定の位置決めに基づいて、ランプモジュールをそれ以上調整する必要はない、またそれによってプロジェクタ内にランプモジュールを挿入する作業は、より簡単であり、しかも専門知識なしで可能である。
【００１４】
球状の（第１の）リフレクタは、有利な形式で光出口側でほぼ円錐形周壁状の付加部を有しており、この付加部は、光出口開口を形成する、フィルタホルダ用のほぼ円筒形周壁状の固定セクションに移行している。
【００１５】
このようなランプモジュールに使用されるランプは、高圧放電ランプである。高圧放電ランプは、１つのランプバルブと、互いに直径方向で向き合って前記ランプバルブに取り付けられた２つのランプシャフトとから構成されている。ランプシャフト内で、電極はその電極棒が気密に溶融されていて、ランプシャフトの自由端部に取り付けられたベースに設けられた接点に電気的に接続されている。
【００１６】
ランプのベースを保持するために、有利な形式で、円筒形周壁状の固定セクション内に、ランプの第１のランプシャフトのベースを受容するためのセンタリングリングが挿入されている。センタリングリングは有利な形式で、内方に突き出す複数の支柱を有しており、これらの支柱がセンタリングリングの中央に配置された金属スリーブに固定されている。この金属スリーブは、ランプの第１のランプシャフトのベースの接続接点を受容するために用いられる。
【００１７】
ランプモジュールの構成は、センタリングリングが、フィルタ特にＵＶ／ＩＲフィルタのためのフィルタホルダも支持していれば、さらに簡略化される。
【００１８】
ランプの熱発生及びそれに起因する耐用年数の限定に基づいて、効果的な冷却が必要となる。このために、例えば送風機を介して空気がリフレクタシステム内に吹き込まれるか、又はリフレクタシステムから吸い出され、この場合、生ぜしめられた冷却空気流がランプ本体を包囲して、熱の堰き止めの発生を効果的に阻止する。
【００１９】
第１のリフレクタの円錐形周壁状の付加部は、有利な形式で切欠を有しており、この切欠を通って冷却空気流がリフレクタシステム内に流入するか、又はこのリフレクタシステムから流出する。
【００２０】
特に有利には、楕円形の（第２の）リフレクタのリフレクタネックが受容セクションを有しており、この受容セクションに複数のばね舌片が形成されていて、これらのばね舌片間に、他方のランプシャフトに被せ嵌められた円筒形の金属スリーブが受容可能、かつ固定可能である。円筒形の金属スリーブは、グラファイト帯材を備えていて、緊締リングによって保持されている。リフレクタネックとランプシャフトの自由端部に取り付けられたセラミックベースとの間の直径差に基づいて形成された環状室によって、冷却空気流がリフレクタネック内に流入するか、又はこのリフレクタネックから流出し、ランプの冷却が保証される。
【００２１】
金属スリーブ若しくはランプシャフトにおいて第２のリフレクタを確実に保持すると同時に、リフレクタネック内でランプを調整することができるようにするために、ばね舌片は有利な形式で、リフレクタネックから打ち抜き成形され、折り曲げられて受容セクション内に挿入されている。ばね舌片は切削によって、又は電気めっきによって形成されてもよい。
【００２２】
ランプシャフトの自由端部に被せ嵌められた、セラミックより成る円筒形のベースはその電極側の端部が、電極とは反対側の、円筒形の金属スリーブの端部を越えて延びている。ベースは、円筒形の金属スリーブによって、金属スリーブから突き出して折り曲げられた舌片対によって保持される。この舌片対のうちのそれぞれ一方の舌片が、セラミックベースに形成された孔内に係合し、また他方の舌片がセラミックベースの電極側の端部を支持する。
【００２３】
有利には、ランプとしてキセノン・ショートアーク高圧放電ランプが使用される。何故ならば、このような形式のランプは特に良好な色再現特性並びに、光学式のプロジェクタシステム内に良好な画像再現を可能にする、高い発光密度及び光束を有しているからである。
【００２４】
有利な実施例によれば、ランプの第１のランプシャフトにおけるベースの電気的な接触がリフレクタを介して行われ、また第２のランプシャフトにおけるベースの電気的な接触が電流供給リッツ線の自由端部に設けられた接点エレメントを介して行われる。他方の電極の電気的な接続は、セラミックベースから突き出すリッツ線の自由端部における接点エレメントによって形成され、この接点エレメントは電極棒に結合されている。
【００２５】
ランプモジュールの構成のために、リフレクタシステムが、導電性の材料特にアルミニウム又はニッケルより成っているか又は導電性の層を備えていて、反射層を有している。
【００２６】
ランプモジュールのリフレクタシステム内でランプを位置決めし、かつ電気的に接触させるための、本発明の方法は、
イ）ランプを、第２のランプシャフト上に固定された金属スリーブと共にリフレクタシステム内に挿入し、この際に、第１のベースの接点ピンを第１のリフレクタの金属スリーブ内に挿入し、
ロ）ランプの第２のランプシャフトを調整装置によって把持し、ランプを光軸に関連したｘ方向、ｙ方向及びｚ方向で調整し、
ハ）殊に金属スリーブを第２のリフレクタにおけるばね舌片に溶接又ははんだ付けすることによって、また第１のベースの接点ピンを第１のリフレクタのセンタリングリングにおけるスリーブに溶接又ははんだ付けすることによって、整列されたランプをリフレクタシステムに固定し、
ニ）第２のランプシャフト上に、張力逃がし手段を有するセラミックを被せ嵌め、かつ固定し、
ホ）張力逃がし手段を電流供給リッツ線に圧着し、
ヘ）ランプの第２のベースにおける電流供給リッツ線の自由端部を、接点エレメント特に接点プラグを介して、ランプの電流供給部と電気的に接続する、
ステップを有している。
【００２７】
ランプモジュール内で電気的な接触及び／又は調整を行うためのランプが、少なくとも少なくとも部分的にリフレクタシステムから突き出していれば、特に有利である。これによって、ランプは調整装置によって良好に把持することができ、また調整後に簡単に接触エレメントによって接触可能である。
【００２８】
図面の簡単な説明
図１は、本発明によるランプモジュールの側面図、
図２は、図１に示したランプモジュールの斜視図、
図３は、図１に示したランプモジュールの球状のリフレクタの側面図、
図４は、図３に示した球状のリフレクタの斜視図、
図５は、図２に示したセンタリングリングの詳細を示す図、
図６は、図２に示したフィルタホルダの詳細を示す図、
図７は、図１に示したランプモジュールの楕円形のリフレクタの側面図、
図８は、図７に示した楕円形のリフレクタの平面図、
図９は、図７に示した楕円形のリフレクタの斜視図、
図１０は、嵌め込まれた金属スリーブと、取り付けられたセラミックベースとを備えた楕円形のリフレクタのネック部の断面図である。
【００２９】
本発明の有利な実施例
図１によれば、本発明によるランプモジュール１が、第１の球状のリフレクタ２と第２の楕円形のリフレクタ４とから形成されたリフレクタシステム６を有しており、このリフレクタシステム６内にランプ８が収容されている。ランプ８は、リフレクタシステム６によって支持されていて、このリフレクタシステム６と共に前もって組み立てられたユニットを形成している。このユニットは、プロジェクタ例えばデジタルプロジェクタの壁部１０に、ＬＣＤテクノロジー又はＤＬＰ／ＤＭＤテクノロジーと電気的に絶縁されて嵌め込まれている。
【００３０】
球状のリフレクタ２は光出口開口１２を備えていて、楕円形のリフレクタ４はリフレクタネック１４を備えており、この場合、ランプ８は本発明によれば、リフレクタネック１４の領域、及び光出口開口１２の領域内で支承されている。
【００３１】
ランプ８の熱発生及びひいては耐用年数に基づいて、効果的な冷却が必要となる。このために、図示していないブロワ（送風機）を介して空気がリフレクタシステム６内に、矢印で示したように吹き込まれる。冷却空気流はランプ８の周囲を流れ、リフレクタシステム６内における熱の停滞を効果的に阻止する。
【００３２】
図示の実施例では、ランプ８は、従来の構造形式でキセノン・ショートアーク・高圧放電ランプ（Xenon short-arc high-pressure discharge lamp）として構成されている。このような形式のショートアークランプは主に、それぞれ電極棒２８上に取り付けられたアノード（陽極）１６とカソード（陰極）１８と、高純度のキセノンガスで満たされたランプバルブ２０とから成っている。このランプバルブ２０は、光軸２２に沿って両側でそれぞれ１つのほぼ円筒形のランプシャフト２４，２６に移行しており、これらのランプシャフト２４，２６内に、アノード１６若しくはカソード１８の電極棒２８が気密に溶融されていて、ランプシャフト２４，２６の自由端部においてベースシステム３２，３４に電気的に接続されている。
【００３３】
図示の実施例では、ランプ８の第１のベース（アノードベース）３２の電気的な接触は、リフレクタシステム６を介して行われ、また第２のベース（カソードベース）３４と張力逃がし手段３３との電気的な接触は、電流供給リッツ線３５の自由端部における図示していないコンタクトプラグを介して行われる。ランプモジュール１内におけるランプ８の接触及び調整を簡単にするために、ランプシャフト２６は、カソード側でリフレクタシステムから突き出している。それによってランプ８は良好に、図示していない調整装置によって把持可能であって、調整後に簡単にベース３４及び電流供給リッツ線３５を介して接触可能となっている。リフレクタシステム６は、導電性の材料より成っていて、反射層を備えている。ランプ８をプロジェクタ１０に機械的及び電気的に接続する接続部材としてリフレクタシステム６を用いることによって、従来技術のものに対して製造費用が著しく低減される。
【００３４】
球状のリフレクタ２及び楕円形のリフレクタ４は、半径方向に突き出す扁平面３６，３８（図４及び図６参照）を介して互いに接続されており、これらの扁平面３６，３８は、共通のフランジ４０を形成していて、このフランジ４０に沿ってランプモジュール１がプロジェクタ１０に絶縁されて固定されている。
【００３５】
フランジ４０には、導入斜面４２を備えた位置決めピン４４が設けられており、この位置決めピン４４は残りのケーシングに対して電気的に絶縁され固定されたプロジェクタ壁部１０の受容孔４６内に嵌め込まれており、これによって、使用者が調整を行う必要なしに、ランプモジュール１をプロジェクタにおいて所定に位置決めすることができる。
【００３６】
図２は、ランプモジュール１の光出口開口１２の斜視図を示している。図２によれば、センタリングリング４８がスリーブ７６と共に、ランプ８のアノードベース３２の接点３０を受容するために、球状のリフレクタ２内に嵌め込まれている。センタリングリング４８はさらにＵＶ／ＩＲフィルタ５０を支持しており、このＵＶ／ＩＲフィルタ５０は、フィルタホルダ５２によって光出口開口１２において保持される。
【００３７】
球状のリフレクタ２の側面図を示す図３に示されているように、球状のリフレクタ２は光出口側でほぼ円錐形周壁状の付加部５４を有しており、この付加部５４は、光出口開口１２を形成するほぼ円筒形周壁状の固定セクション５６に移行している。この固定セクション５６は、周面に亘って一様に分配配置された複数の孔５８を備えており、これらの孔５８内に、センタリングリング４８及びフィルタホルダ５２を固定するための、図示していない固定部材例えばねじ又はリベットが挿入可能である。円錐形周壁状の付加部５４は、打ち抜き成形されたほぼ方形の切欠６０を有しており、この切欠６０を通じて、冷却空気流がリフレクタシステム６を、矢印で示した方向（図１参照）で流過する。
【００３８】
図４には、球状のリフレクタ２の斜視図が示されており、この場合、端面側において半径方向に突起する扁平面３６上に、左右対称に分配された３つの瘤状の位置決め隆起部６２が配置されており、これらの位置決め隆起部６２は、楕円形のリフレクタ（図９参照）の扁平面３８の位置決め凹部６４に噛み合い、これらのリフレクタ２，４の位置を光軸２２に関連して互いに規定する。さらにまた、扁平面３６には、位置決めピン４４を受容するための貫通孔６６と、楕円形のリフレクタ４に固定するための３つの貫通孔６８とを有している。２つのリフレクタ２，４の固定は、例えば孔６８内に挿入された図示していないねじ又はリベットによって行われる。
【００３９】
図５には、センタリングリング４８にほぼ星状に形成された、内方に突出する３つの支柱７０，７２，７４が示されている。これらの支柱は、センタリングリング４８内で中に配置された、ランプ８のベース３２の接続接点３０（図１参照）を受容するためのスリーブ７６を支持しており、この場合、センタリング４８は、光出口側とは反対側の内縁部に面取り部を有しており、この面取り部に、シャドーイング（陰影）を避けるために、支柱７０，７２，７４が後方から係合するようになっている。スリーブ７６は、光軸２２に沿って、光出口側に関連して後方に向かってリフレクタ内にずらされている。センタリングリング４８は、周方向に一様に分配配置された複数の穴８０を介して、図示していない固定部材によって、球状のリフレクタ２の固定セクション５６に結合可能であり、フィルタディスク５０を受容するための、端面側の環状の切欠８２を有している。
【００４０】
図６は、球状のリフレクタ２の固定セクション５６に被せ嵌められる、ＵＶ／ＶＩＲフィルタ５０（図２参照）を受容するためのフィルタホルダ５２の斜視図が示されている。フィルタホルダ５２はほぼＬ字状の横断面を有しており、この場合、短い脚８４が端面側でフィルタ５０に当接せしめられて、このフィルタ５０を抱き込んで、それによってランプモジュール１に固定するようになっている。フィルタホルダ５２は、周面に配置された複数の孔８６を介して、図示していない固定エレメントによって、球状のリフレクタ２の固定セクション５６に結合可能となっている。
【００４１】
楕円形のリフレクタ４の側面図を示す図７に示されているように、楕円形のリフレクタ４は、球体周壁状の面８８を有しており、この面８８はリフレクタネック１４に移行している。リフレクタネック１４は、ほぼ円筒形の受容セクション９０を有していて、この受容セクション９０に３つのばね舌片９２，９４，９６が形成されており、これらのばね舌片９２，９４，９６間に、ランプシャフト２６に被せ嵌められた金属スリーブ１０６が受容可能、かつ固定可能である（図１０参照）。ばね舌片９２，９４，９６は、図８に示されているように、リフレクタネック１４から打ち抜き成形によって形成され、受容セクション９０内に曲げ入れられており、それによってランプ８を挿入する際に少なくともセクション（区分）毎に、ばね弾性的に金属スリーブ１０６の外周面に当接して、ランプシャフト２６を確実に保持することができ、それと同時にランプ８をリフレクタネック１４内で調整することができる。ばね舌片９２，９４，９６は、リフレクタシステム６内でランプ８を調整した後で、ランプシャフト２６に被せ嵌められたスリーブ１０６に溶接又ははんだ付けされる。リフレクタネック１４とランプシャフト２６との間の直径差に基づいて形成される環状室１００によって、ランプの冷却がさらに改善される。
【００４２】
図９には、楕円形のリフレクタ４の斜視図が示されている。この場合、端面側で半径方向に突き出す扁平面３８上に、左右対称に分配された３つの位置決め凹部６４が配置されており、これらの位置決め凹部６４は、楕円形のリフレクタ２の扁平面３６の位置決め隆起部６２（図４参照）と係合せしめられ、規定する。２つのリフレクタ２，４の位置を光軸２２に関連して規定する。さらに扁平面３８には、位置決めピン４４を受容するための３つの貫通孔１０２と、楕円形のリフレクタ２に固定するための３つの貫通孔１０４とが形成されている。
【００４３】
図１０には、楕円形のリフレクタ４のネック１４の断面図が示されている。ネック１４内に円筒形の金属スリーブ１０６が挿入されており、この金属スリーブ１０６は、図示していないランプシャフト２６（図１参照）上に被せ嵌められる。円筒形の金属スリーブ１０６はその、カソード側の端部に、ランプの軸線方向に延在する複数のスリット１０８を有している。これらのスリット１０８によって、緊締リング１１０を用いてランプシャフト２６上に金属スリーブ１０６を固定することができる。この場合、ランプシャフトを保護するために、金属スリーブ１０６にはさらに、図示してないグラファイト帯材が取り付けられる。金属スリーブ１０６の他方の端部には、セラミックベース３４が被せ嵌められている。セラミックベース３４は、金属スリーブ１０６から自由に打ち抜き成形され、かつ曲げ起こされた複数の舌片１１４によって保持される。これらの舌片１１４は、一方ではセラミックベース３４に形成された複数の孔１１２内に係合し、他方ではセラミックベース３４の電極側の端部を支持する。セラミックベース３４はさらに、カソードとは反対側の端部にスリーブの形の張力逃がし手段３３を有している。この張力逃がし手段３３を通って、電極（カソード）の棒に結合された電流供給リッツ線３５が挿入され、組立後に圧着される。
【００４４】
ランプモジュール１内におけるランプ８の位置決め、及び電気的な接触接続は、主に６段階で行われる。第１の作業段階で、ランプ８が第２のランプシャフト２６に固定された金属スリーブ１０６と共に、リフレクタシステム６内に取り付けられ、この際に、第１のベース３２の接点ピン３２が第１のリフレクタ２におけるセンタリングリングの金属スリーブ７６内に挿入される。次いで、ランプ８の第２のランプシャフト２６が、図示していない調整装置によって捕まれて、ランプ８が、光軸２２に関連してｘ方向、ｙ方向及びｚ方向に調整され、この場合、接続接点３０がスリーブ７６内で可動であり、調整作業が軽減されるようになっている。次の作業段階で、金属スリーブ１０６が第２のリフレクタ４におけるばね舌片９４，９６，９８に溶接又ははんだ付けされ、第１のベース３２の接点ピン３０が第１のリフレクタ２のセンタリングリング４８におけるスリーブ７６に溶接又ははんだ付けされ、それによってリフレクタシステム６がランプ８に電気的に接続される。次いで、セラミックベース３４が張力逃がし手段３３と共に第２のランプシャフト２６に被せ嵌められて固定され、張力逃がし手段３３が電流供給リッツ線３５に圧着される。次いで行われる第２の電極（カソード）と回路網との接続は、電流供給リッツ線３５の自由端部とランプ８の電流供給部とを、接点エレメント特に接点プラグを介して接続することによって行われる。
【００４５】
本発明の対象は、上記キセノン・ショートアーク・高圧放電ランプだけに限定されるものではなく、むしろ、従来技術により公知のすべてのプロジェクタランプに使用することができる。
【００４６】
少なくとも２つのリフレクタ２，４を有するリフレクタシステム６を備え、該リフレクタシステム６内にランプ８が収容されている、プロジェクタ１０のためのランプモジュール１が開示されている。このリフレクタシステム６は、ランプ８に電気的に接続されていて、ランプ８を支持しているので、リフレクタシステム６とランプ８とは、前もって組み立てられたユニットとしてプロジェクタ１０内に挿入可能であって、組立が著しく簡略化されている。
【図面の簡単な説明】
【００４７】
【図１】本発明によるランプモジュールの側面図である。
【図２】図１に示したランプモジュールの斜視図である。
【図３】図１に示したランプモジュールの球状のリフレクタの側面図である。
【図４】図３に示した球状のリフレクタの斜視図である。
【図５】図２に示したセンタリングリングの詳細を示す斜視図である。
【図６】図２に示したフィルタホルダの詳細を示す斜視図である。
【図７】図１に示したランプモジュールの楕円形のリフレクタの側面図である。
【図８】図７に示した楕円形のリフレクタの平面図である。
【図９】図７に示した楕円形のリフレクタの斜視図である。
【図１０】嵌め込まれた金属スリーブと、取り付けられたセラミックベースとを備えた楕円形のリフレクタのネックの断面図である。
【符号の説明】
【００４８】
１  ランプモジュール、  ２  第１の球状のリフレクタ、  ４  第２の楕円形のリフレクタ、  ６  リフレクタシステム、  ８  ランプ、  １０  壁部、  １２  光出口開口、  １４  リフレクタネック、  １６  アノード（陽極）、  １８  カソード（陰極）、  ２０  ランプバルブ、  ２２  光軸、  ２４，２６  ランプシャフト、  ２８  電極棒、  ３０  接続接点、接点ピン、  ３２，３４  ベースシステム、  ３３  張力逃がし手段、  ３４  第２のベース（陰極ベース）、  ３５  電流供給リッツ線、  ３６，３８  扁平面、  ４０  フランジ、  ４２  導入斜面、  ４４  位置決めピン、  ４６  受容孔、  ４８  センタリングリング、  ５０  ＵＶ／ＩＲフィルタ、  ５２  フィルタホルダ、  ５４  アタッチメント、  ５６  固定セクション、  ５８  孔、  ６０  切欠、  ６２  位置決め隆起部、  ６４  位置決め凹部、  ６６，６８  貫通孔、  ７０，７２，７４  支柱、  ７６  スリーブ、  ８０  孔、  ８２  切欠、  ８４  脚、  ８６  孔、８８  面、  ９０  受容セクション、  ９２，９４，９６  ばね舌片、  １０２，１０４  貫通孔、  １０６  金属スリーブ、  １１０  緊締リング、  １１２  孔、  １１４  舌片
【図１】
2008527616.tif 000003
【図２】
2008527616.tif 000004
【図３】
2008527616.tif 000005
【図４】
2008527616.tif 000006
【図５】
2008527616.tif 000007
【図６】
2008527616.tif 000008
【図７】
2008527616.tif 000009
【図８】
2008527616.tif 000010
【図９】
2008527616.tif 000011
【図１０】
2008527616.tif 000012
【手続補正書】
【提出日】平成19年8月30日(2007.8.30)
【手続補正１】
【補正対象書類名】特許請求の範囲
【補正対象項目名】全文
【補正方法】変更
【補正の内容】
【特許請求の範囲】
【請求項１】
プロジェクタ用の、殊にデジタル式の映画・ビデオプロジェクタ用のランプモジュール（１）であって、少なくとも２つのリフレクタ（２，４）を備えたリフレクタシステム（６）を有していて、該リフレクタシステム（６）内に、１つのバルブ（２０）と２つのシャフト（２４，２６）とを備えたランプ（８）が収容されており、これらのシャフト（２４，２６）の両端部に電極システム（１６，１８）とベース（３２，３４）とが設けられている形式のものにおいて、
前記リフレクタシステム（６）がランプ（８）に電気的に接続されていて、ランプ（８）を支持しており、それによってリフレクタシステム（６）とランプ（８）とが前もって組み立てられたユニットとしてプロジェクタ（１０）内に挿入可能であることを特徴とする、プロジェクタ用のランプモジュール。
【請求項２】
リフレクタシステム（６）が２つのリフレクタ（２，４）より成っており、第１のリフレクタ（２）が光出口開口（１２）を備え、第２のリフレクタがリフレクタネック（１４）を備えて構成されており、ランプ（８）が、リフレクタネック（１４）及び光出口開口（１２）の領域内に支承されている、請求項１記載のプロジェクタ用のランプモジュール。
【請求項３】
２つのリフレクタ（２，４）が、半径方向に突出する扁平面（３６，３８）に沿って接続されていて、これらの扁平面が１つの共通のフランジ（４０）を形成し、このフランジ（４０）に沿ってランプモジュール（１）がプロジェクタ（１０）に固定可能である、請求項１又は２記載のプロジェクタ用のランプモジュール。
【請求項４】
第１のリフレクタ（２）が球状のリフレクタであって、第２のリフレクタ（４）が楕円形のリフレクタである、請求項２記載のプロジェクタ用のランプモジュール。
【請求項５】
第２のリフレクタ（４）のリフレクタネック（１４）が受容セクション（９０）を有しており、該受容セクション（９０）にばね舌片（９２，９４，９６）が形成されていて、これらのばね舌片間に、ランプ（８）の第２のランプシャフト（２６）が受容可能、かつ固定可能である、請求項４記載のプロジェクタ用のランプモジュール。
【請求項６】
第２のランプシャフトが、少なくともばね舌片（９２，９４，９６）の領域内で円筒形の金属スリーブ（１０６）を支持している、請求項１記載のプロジェクタ用のランプモジュール。
【請求項７】
円筒形の金属スリーブ（１０６）とランプシャフト（２６）との間にグラファイト帯材が設けられている、請求項６記載のプロジェクタ用のランプモジュール。
【請求項８】
円筒形の金属スリーブ（１０６）が緊締リング（１１０）によって第２のランプシャフト２６）上に保持されている、請求項６記載のプロジェクタ用のランプモジュール。
【請求項９】
ランプシャフト（２６）の自由端部、及び円筒形の金属スリーブ（１０６）の、電極とは反対側の端部に、セラミックより成る円筒形のベース（３４）が被せ嵌められている、請求項６記載のプロジェクタ用のランプモジュール。
【請求項１０】
円筒形のベース（３４）が、金属スリーブ（１０６）から曲げ起こされた舌片対（１１４）によって円筒形の金属スリーブ（１０６）で保持される、請求項９記載のプロジェクタ用のランプモジュール。
【請求項１１】
第１のリフレクタ（２）が、光出口側でほぼ円錐形周壁状の付加部（５４）を有しており、該付加部（５４）が、光出口開口（１２）を制限するほぼ円筒形周壁状の固定セクション（５６）内に移行している、請求項４記載のプロジェクタ用のランプモジュール。
【請求項１２】
円筒形周壁状の固定セクション（５６）内に、ランプ（８）の第１のランプシャフト（２４）のベース（３２）を受容するためのセンタリングリング（４８）が挿入されている、請求項１１記載のプロジェクタ用のランプモジュール。
【請求項１３】
センタリングリング（４８）が内方に突き出す複数の支柱（７０，７２，７４）を有しており、これらの支柱が、ランプ（８）の第１のランプシャフト（２４）のベース（３２）の接続接点（３０）を受容するための、センタリングリング（４８）の中央に配置されたスリーブ（７６）に固定されている、請求項１２記載のプロジェクタ用のランプモジュール。
【請求項１４】
ランプ（８）がキセノン高圧放電ランプである、請求項１から１３までのいずれか１項記載のプロジェクタ用のランプモジュール。
【請求項１５】
ランプ（８）の第１のランプシャフト（２４）におけるベース（３２）の電気的な接触がリフレクタ（２）を介して行われ、また第２のランプシャフト（２４）におけるベース（３４）の電気的な接触が電流供給リッツ線（３５）の自由端部に設けられた接点エレメントを介して行われる、請求項１から１４までのいずれか１項記載のプロジェクタ用のランプモジュール。
【請求項１６】
リフレクタシステム（６）が、導電性の材料特にアルミニウム又はニッケルより成っているか又は導電性の層を備えていて、反射層を有している、請求項１から１５までのいずれか１項記載のプロジェクタ用のランプモジュール。
【請求項１７】
ランプモジュール（１）内で電気的な接触及び／又は調整を行うためのランプ（８）の少なくとも１つの端部セクションが、少なくとも部分的にリフレクタシステム（６）から突き出している、請求項１から１６までのいずれか１項記載のプロジェクタ用のランプモジュール。
【請求項１８】
請求項１から１７までのいずれか１項記載のランプモジュール（１）のリフレクタシステム（６）内でランプ（８）を位置決めし、かつ電気的に接触させるための方法において、
イ）ランプ（８）を、第２のランプシャフト（２６）上に固定された金属スリーブ（１０６）と共にリフレクタシステム（６）内に挿入し、この際に、第１のベース（３２）の接点ピン（３０）を第１のリフレクタ（２）の金属スリーブ（７６）内に挿入し、
ロ）ランプ（８）の第２のランプシャフト（２６）を調整装置によって把持し、ランプ（８）を光軸に関連したｘ方向、ｙ方向及びｚ方向で調整し、
ハ）殊に金属スリーブ（１０６）を第２のリフレクタ（４）におけるばね舌片（９４，９６，９８）に溶接又ははんだ付けすることによって、また第１のベース（３２）の接点ピン（３０）を第１のリフレクタ（２）のセンタリングリングにおけるスリーブ（７６）に溶接又ははんだ付けすることによって、整列されたランプ（８）をリフレクタシステム（６）に固定し、
ニ）第２のランプシャフト（２６）上に、張力逃がし手段（３３）を有するセラミック（３４）を被せ嵌め、かつ固定し、
ホ）張力逃がし手段（３３）を電流供給リッツ線に圧着し、
ヘ）ランプ（８）の第２のベース（３４）における電流供給リッツ線（３５）の自由端部を、接点エレメント特に接点プラグを介して、ランプの電流供給部と電気的に接続する、
ステップを有していることを特徴とする、ランプモジュール（１）のリフレクタシステム（６）内でランプ（８）を位置決めし、かつ電気的に接触させるための方法。
【国際調査報告】
2008527616.tif 000013
2008527616.tif 000014
2008527616.tif 000015
2008527616.tif 000016